(57)【要約】【課題】小型化することができる電池監視装置を提供すること。【解決手段】電池監視装置５０は、複数の電極と電解質とを含む電池セル４２の状態を監視する。電池監視装置５０は、正弦波信号を出力させる電流モジュレーション回路５６と、正弦波信号に対する電池セル４２の応答信号を入力する入出力部５２と、応答信号に基づいて電池セル４２の複素インピーダンスを算出するマイコン部５３と、を備える。電流モジュレーション回路５６は、監視対象である電池セル４２を電源として、正弦波信号を出力させる。【選択図】      図２
2020180949.tif 000002
【特許請求の範囲】
【請求項１】
電解質と複数の電極とを含む蓄電池の状態を監視する電池監視装置（５０）において、
所定の交流信号を出力させる信号制御部（５６）と、
前記交流信号に対する前記蓄電池の応答信号を入力する応答信号入力部（５２）と、
前記応答信号に基づいて前記蓄電池の複素インピーダンスを算出する演算部（５３）と、を備え、
前記信号制御部は、監視対象である前記蓄電池を電源として、所定の交流信号を出力させる電池監視装置。
【請求項２】
前記信号制御部は、指示に基づいて通電量を調整するスイッチ部（５６ａ）と、当該スイッチ部に直列に接続された抵抗（５６ｂ）と、前記抵抗に流れる電流を検出する電流検出部（５６ｃ）と、前記スイッチ部に対して指示を行う指示部（５６ｄ）と、を有し、
前記指示部は、前記電流検出部により検出された検出信号と前記交流信号との比較に基づいて前記スイッチ部に対して、指示を行う請求項１に記載の電池監視装置。
【請求項３】
前記信号制御部は、指示に基づいて通電量を調整するスイッチ部（５６ａ）と、当該スイッチ部に直列に接続された抵抗（５６ｂ）と、前記抵抗に流れる電流を検出する電流検出部（５６ｃ）と、を有し、
前記演算部は、前記応答信号と、前記電流検出部により検出された検出信号に基づいて複素インピーダンスを算出する請求項１又は２に記載の電池監視装置。
【請求項４】
前記応答信号入力部は、前記蓄電池の端子において、接続可能な部分のうち、電極に最も近い部分に接続されている請求項１〜３のうちいずれか１項に記載の電池監視装置。
【請求項５】
前記蓄電池は、複数備えられ、
前記各蓄電池の蓄電状態を取得し、蓄電状態が均等化するように前記蓄電池を放電させる放電制御部（５３）を備え、
前記放電制御部は、前記蓄電池から放電させるように前記信号制御部に指示する請求項１〜４のうちいずれか１項に記載の電池監視装置。
【請求項６】
前記演算部は、前記放電制御部から放電指示が行われている場合、複素インピーダンスを算出する請求項５に記載の電池監視装置。
【請求項７】
前記信号制御部に対して前記交流信号の波形を指示する波形指示部（１５８）を有し、
前記演算部は、前記波形指示部が指示する前記交流信号を第１の参照信号とし、前記応答信号入力部から入力した応答信号と前記第１の参照信号とを掛け合わせた値に基づいて、前記応答信号の実部を算出し、
前記波形指示部が指示する前記交流信号の位相をシフトさせた信号を第２の参照信号とし、前記応答信号入力部から入力した応答信号と前記第２の参照信号とを掛け合わせた値に基づいて、前記応答信号の虚部を算出する請求項１〜６のうちいずれか１項に記載の電池監視装置。
【請求項８】
前記演算部は、前記応答信号及び前記交流信号をフーリエ変換して、複素インピーダンスを算出する請求項１〜６のうちいずれか１項に記載の電池監視装置。
【請求項９】
前記信号制御部は、指示に基づいて通電量を調整するスイッチ部（５６ａ）と、当該スイッチ部に直列に接続された抵抗（５６ｂ）と、前記抵抗に流れる電流を検出する電流検出部（５６ｃ）と、を有し、
前記演算部は、前記応答信号及び前記電流検出部により検出された検出信号をフーリエ変換して、複素インピーダンスを算出する請求項１〜６のうちいずれか１項に記載の電池監視装置。
【請求項１０】
前記応答信号入力部は、コンデンサ（Ｃ１）を介して前記蓄電池の電圧変動が入力されるように構成されているとともに、増幅器を１段又は複数段有しており、前記増幅器を介して、入力した前記蓄電池の電圧変動を増幅して、応答信号として出力する請求項１〜９のうちいずれか１項に記載の電池監視装置。
【請求項１１】
前記蓄電池には、フィルタ回路（５５ａ）及び保護素子（５５ｂ）のうち少なくともいずれか一方が接続されている請求項１〜１０のうちいずれか１項に記載の電池監視装置。
【請求項１２】
前記蓄電池は、複数備えられ、
１の前記演算部により複数の前記蓄電池の状態を監視する請求項１〜１１のうちいずれか１項に記載の電池監視装置。
【発明の詳細な説明】
【技術分野】
【０００１】
本発明は、電池監視装置に関するものである。
【背景技術】
【０００２】
従来から、蓄電池の状態を監視するため、蓄電池の複素インピーダンスを測定することが行われていた（例えば、特許文献１）。特許文献１に記載の発明では、パワーコントローラにより、蓄電池に対して矩形波信号を印加して、その応答信号に基づいて複素インピーダンス特性を算出していた。そして、この複素インピーダンス特性を基に、蓄電池の劣化状態などを判別していた。
【先行技術文献】
【特許文献】
【０００３】
【特許文献１】特許第６２２６２６１号公報
【発明の概要】
【発明が解決しようとする課題】
【０００４】
ところで、この複素インピーダンス測定法を、車載の蓄電池の複素インピーダンス測定法として採用する場合、次のような問題が生じる。すなわち、パワーコントローラ等、蓄電池に信号を印加する装置を必要としていたため、電池監視装置の大型化やコスト増という問題を招いていた。
【０００５】
本発明は、上記課題に鑑みてなされたものであり、その目的は、小型化することができる電池監視装置を提供することにある。
【課題を解決するための手段】
【０００６】
上記課題を解決する手段は、電解質と複数の電極とを含む蓄電池の状態を監視する電池監視装置において、所定の交流信号を出力させる信号制御部と、前記交流信号に対する前記蓄電池の応答信号を入力する応答信号入力部と、前記応答信号に基づいて前記蓄電池の複素インピーダンスを算出する演算部と、を備え、前記信号制御部は、監視対象である前記蓄電池を電源として、所定の交流信号を出力させる。
【０００７】
上記構成によれば、信号制御部は、監視対象とする蓄電池を電源として、所定の交流信号を出力させる。このため、交流信号を蓄電池に入力するための外部電源が必要なくなり、部品点数削減、小型化、低コスト化を実現することが可能となる。
【０００８】
ところで、車載の蓄電池には、一般的に保護素子やフィルタ回路などの周辺回路が接続されており、蓄電池に交流信号を入力しても、当該周辺回路に電流の一部が漏れてしまう。このため、蓄電池に交流信号を入力し、その応答信号に基づいて複素インピーダンスを算出する場合、応答信号に誤差が生じ、複素インピーダンスの検出精度が低下するという問題があった。
【０００９】
しかしながら、上記構成では、蓄電池を電源として、所定の交流信号を出力させるため、電流モジュレーション回路と蓄電池とで閉回路を実現できる。よって、蓄電池から周辺回路への電流の漏れをなくすことができ、誤差を抑制することができる。
【図面の簡単な説明】
【００１０】
【図１】電源システムの概略構成図。
【図２】電池監視装置の構成図。
【図３】複素インピーダンス算出処理のフローチャート。
【図４】接続位置を示す図。
【図５】第２実施形態の電池監視装置の構成図。
【図６】第２実施形態の複素インピーダンス算出処理のフローチャート。
【図７】第３実施形態の電池監視装置の構成図。
【図８】第３実施形態の複素インピーダンス算出処理のフローチャート。
【図９】別例の電池監視装置の構成図。
【図１０】別例の電池監視装置の構成図。
【図１１】別例の電池監視装置の構成図。
【図１２】別例の電池監視装置の構成図。
【図１３】別例の複素インピーダンス算出処理のフローチャート。
【発明を実施するための形態】
【００１１】
（第１実施形態）
以下、「電池監視装置」を車両（例えば、ハイブリッド車や電気自動車）の電源システムに適用した第１実施形態について、図面を参照しつつ説明する。
【００１２】
図１に示すように、電源システム１０は、回転電機としてのモータ２０と、モータ２０に対して３相電流を流す電力変換器としてのインバータ３０と、充放電可能な組電池４０と、組電池４０の状態を監視する電池監視装置５０と、モータ２０などを制御するＥＣＵ６０と、を備えている。
【００１３】
モータ２０は、車載主機であり、図示しない駆動輪と動力伝達可能とされている。本実施形態では、モータ２０として、３相の永久磁石同期モータを用いている。
【００１４】
インバータ３０は、相巻線の相数と同数の上下アームを有するフルブリッジ回路により構成されており、各アームに設けられたスイッチ（半導体スイッチング素子）のオンオフにより、各相巻線において通電電流が調整される。
【００１５】
インバータ３０には、図示しないインバータ制御装置が設けられており、インバータ制御装置は、モータ２０における各種の検出情報や、力行駆動及び発電の要求に基づいて、インバータ３０における各スイッチのオンオフにより通電制御を実施する。これにより、インバータ制御装置は、組電池４０からインバータ３０を介してモータ２０に電力を供給し、モータ２０を力行駆動させる。また、インバータ制御装置は、駆動輪からの動力に基づいてモータ２０を発電させ、インバータ３０を介して、発電電力を変換して組電池４０に供給し、組電池４０を充電させる。
【００１６】
組電池４０は、インバータ３０を介して、モータ２０に電気的に接続されている。組電池４０は、例えば百Ｖ以上となる端子間電圧を有し、複数の電池モジュール４１が直列接続されて構成されている。電池モジュール４１は、複数の電池セル４２が直列接続されて構成されている。電池セル４２として、例えば、リチウムイオン蓄電池や、ニッケル水素蓄電池を用いることができる。各電池セル４２は、電解質と複数の電極とを有する蓄電池である。
【００１７】
組電池４０の正極側電源端子に接続される正極側電源経路Ｌ１には、インバータ３０等の電気負荷の正極側端子が接続されている。同様に、組電池４０の負極側電源端子に接続される負極側電源経路Ｌ２には、インバータ３０等の電気負荷の負極側端子が接続されている。なお、正極側電源経路Ｌ１及び負極側電源経路Ｌ２には、それぞれリレースイッチＳＭＲ（システムメインリレースイッチ）が設けられており、リレースイッチＳＭＲにより、通電及び通電遮断が切り替え可能に構成されている。
【００１８】
電池監視装置５０は、各電池セル４２の蓄電状態（ＳＯＣ）及び劣化状態（ＳＯＨ）などを監視する装置である。第１実施形態において電池監視装置５０は、電池セル４２毎に設けられている。電池監視装置５０は、ＥＣＵ６０に接続されており、各電池セル４２の状態などを出力する。電池監視装置５０の構成については、後述する。
【００１９】
ＥＣＵ６０は、各種情報に基づいて、インバータ制御装置に対して力行駆動及び発電の要求を行う。各種情報には、例えば、アクセル及びブレーキの操作情報、車速、組電池４０の状態などが含まれる。
【００２０】
次に、電池監視装置５０について詳しく説明する。図２に示すように、第１実施形態では、電池セル４２毎に電池監視装置５０が設けられている。
【００２１】
電池監視装置５０は、ＡＳＩＣ部５０ａと、フィルタ部５５と、電流モジュレーション回路５６と、を備えている。ＡＳＩＣ部５０ａは、安定化電源供給部５１と、入出力部５２と、演算部としてのマイコン部５３と、通信部５４と、を備えている。
【００２２】
安定化電源供給部５１は、電池セル４２の電源ラインに接続されており、電池セル４２から供給された電力を入出力部５２、マイコン部５３、及び通信部５４に対して供給している。入出力部５２、マイコン部５３、及び通信部５４は、この電力に基づいて駆動する。
【００２３】
入出力部５２は、監視対象とする電池セル４２に対して接続されている。具体的に説明すると、入出力部５２は、電池セル４２から直流電圧を入力（測定）可能な直流電圧入力端子５７を有する。電池セル４２と直流電圧入力端子５７との間には、フィルタ部５５が設けられている。すなわち、直流電圧入力端子５７の正極側端子５７ａと、負極側端子５７ｂとの間には、フィルタ回路としてのＲＣフィルタ５５ａ、及び保護素子としてのツェナーダイオード５５ｂなどが設けられている。つまり、電池セル４２に対して、ＲＣフィルタ５５ａやツェナーダイオード５５ｂなどが並列に接続されている。
【００２４】
また、入出力部５２は、電池セル４２の端子間において、電池セル４２の内部複素インピーダンス情報を反映した応答信号（電圧変動）を入力するための応答信号入力端子５８を有する。このため、入出力部５２は、応答信号入力部として機能する。
【００２５】
また、入出力部５２は、信号制御部としての電流モジュレーション回路５６に接続されており、電流モジュレーション回路５６に対して、電池セル４２から出力させる正弦波信号（交流信号）を指示する指示信号を出力する指示信号出力端子５９ａを有する。また、入出力部５２は、フィードバック信号入力端子５９ｂを有する。フィードバック信号入力端子５９ｂは、電流モジュレーション回路５６を介して、電池セル４２から実際に出力される（流れる）電流信号を、フィードバック信号として入力する。
【００２６】
また、入出力部５２は、マイコン部５３に接続されており、直流電圧入力端子５７が入力した直流電圧や、応答信号入力端子５８が入力した応答信号、フィードバック信号入力端子５９ｂが入力したフィードバック信号などをマイコン部５３に対して出力するように構成されている。なお、入出力部５２は、内部にＡＤ変換器を有しており、入力したアナログ信号をデジタル信号に変換してマイコン部５３に出力するように構成されている。
【００２７】
また、入出力部５２は、マイコン部５３から指示信号を入力するように構成されており、指示信号出力端子５９ａから、電流モジュレーション回路５６に対して指示信号を出力するように構成されている。なお、入出力部５２は、内部にＤＡ変換器を有しており、マイコン部５３から入力したデジタル信号をアナログ信号に変換して、電流モジュレーション回路５６に対して指示信号を出力するように構成されている。また、電流モジュレーション回路５６に指示信号により指示される正弦波信号は、直流バイアスがかけられており、正弦波信号が負の電流（電池セル４２に対して逆流）とならないようになっている。
【００２８】
電流モジュレーション回路５６は、監視対象である電池セル４２を電源として、所定の交流信号（正弦波信号）を出力させる回路である。具体的に説明すると、電流モジュレーション回路５６は、スイッチ部としての半導体スイッチ素子５６ａ（例えば、ＭＯＳＦＥＴ）と、半導体スイッチ素子５６ａに直列に接続された抵抗５６ｂとを有する。半導体スイッチ素子５６ａのドレイン端子は、電池セル４２の正極端子に接続され、半導体スイッチ素子５６ａのソース端子は、抵抗５６ｂの一端に直列に接続されている。また、抵抗５６ｂの他端は、電池セル４２の負極端子に接続されている。半導体スイッチ素子５６ａは、ドレイン端子とソース端子との間において通電量を調整可能に構成されている。
【００２９】
なお、電池セル４２の正極端子及び負極端子は、それぞれ電極（正極又は負極）に繋がっている。そして、応答信号入力端子５８は、正極端子及び負極端子の接続可能な部分のうち、最も電極に近い箇所に接続されることが望ましい。また、直流電圧入力端子５７の接続箇所も同様に、最も電極に近い箇所、又は応答信号入力端子５８の接続箇所の次に近い箇所であることが望ましい。これにより、主電流又は均等化電流による電圧低下の影響を最低限にすることができる。
【００３０】
また、電流モジュレーション回路５６には、抵抗５６ｂの両端に接続された電流検出部としての電流検出アンプ５６ｃが設けられている。電流検出アンプ５６ｃは、抵抗５６ｂに流れる信号（電流信号）を検出し、検出信号をフィードバック信号として、入出力部５２のフィードバック信号入力端子５９ｂに出力するように構成されている。
【００３１】
また、電流モジュレーション回路５６には、フィードバック回路５６ｄが設けられている。フィードバック回路５６ｄは、入出力部５２の指示信号出力端子５９ａから、指示信号を入力するとともに、電流検出アンプ５６ｃからフィードバック信号を入力するように構成されている。そして、指示信号とフィードバック信号とを比較し、その結果を半導体スイッチ素子５６ａのゲート端子に出力するように構成されている。
【００３２】
半導体スイッチ素子５６ａは、フィードバック回路５６ｄからの信号に基づいて、指示信号により指示された正弦波信号（所定の交流信号）を電池セル４２から出力させるように、ゲート・ソース間に印加する電圧を調整して、ドレイン・ソース間の電流量を調整する。なお、指示信号により指示される波形と、実際に抵抗５６ｂに流れる波形との間に誤差が生じている場合、半導体スイッチ素子５６ａは、フィードバック回路５６ｄからの信号に基づいて、その誤差が補正されるように、電流量を調整する。これにより、抵抗５６ｂに流れる正弦波信号が安定化する。
【００３３】
次に、電池セル４２の複素インピーダンスの算出方法について説明する。電池監視装置５０は、所定周期ごとに、図３に示す複素インピーダンス算出処理を実行する。
【００３４】
複素インピーダンス算出処理において、マイコン部５３は、最初に複素インピーダンスの測定周波数を設定する（ステップＳ１０１）。測定周波数は、予め決められた測定範囲内の周波数の中から設定される。
【００３５】
次にマイコン部５３は、測定周波数に基づいて、正弦波信号（所定の交流信号）の周波数を決定し、入出力部５２に対して、当該正弦波信号の出力を指示する指示信号を出力する（ステップＳ１０２）。
【００３６】
入出力部５２は、指示信号を入力すると、ＤＡ変換器により、アナログ信号に変換し、電流モジュレーション回路５６に出力する。電流モジュレーション回路５６は、指示信号に基づいて、電池セル４２を電源として正弦波信号を出力させる。具体的には、半導体スイッチ素子５６ａは、フィードバック回路５６ｄを介して入力された信号に基づき、指示信号により指示された正弦波信号を電池セル４２から出力させるように、電流量を調整する。これにより、電池セル４２から正弦波信号が出力される。
【００３７】
電池セル４２から正弦波信号を出力させると、すなわち、電池セル４２に外乱を与えると、電池セル４２の端子間に電池セル４２の内部複素インピーダンス情報を反映した電圧変動が生じる。入出力部５２は、応答信号入力端子５８を介して、その電圧変動を入力し、応答信号としてマイコン部５３に出力する。その際、ＡＤ変換器により、デジタル信号に変換して出力する。
【００３８】
ステップＳ１０２の実行後、マイコン部５３は、入出力部５２から応答信号を入力する（ステップＳ１０３）。また、マイコン部５３は、電流モジュレーション回路５６の抵抗５６ｂに流れる信号（つまり、電池セル４２から出力される信号）を電流信号として取得する（ステップＳ１０４）。具体的には、マイコン部５３は、電流検出アンプ５６ｃから出力されたフィードバック信号（検出信号）を、入出力部５２を介して、電流信号として入力する。なお、フィードバック信号の代わりに、電流モジュレーション回路５６に指示した指示信号に比例した値を電流信号としてもよい。
【００３９】
次に、マイコン部５３は、応答信号及び電流信号に基づいて、複素インピーダンスを算出する（ステップＳ１０５）。つまり、マイコン部５３は、応答信号の振幅、電流信号との位相差等に基づいて複素インピーダンスの実部、虚部、絶対値、位相のすべて若しくはいずれかを算出する。マイコン部５３は、通信部５４を介して、算出結果をＥＣＵ６０に出力する（ステップＳ１０６）。そして、算出処理を終了する。
【００４０】
この算出処理は、測定範囲内の複数の周波数についての複素インピーダンスが算出されるまで繰り返し実行される。ＥＣＵ６０は、算出結果に基づいて、例えば、複素インピーダンス平面プロット（コールコールプロット）を作成し、電極及び電解質などの特性を把握する。例えば、蓄電状態（ＳＯＣ）や劣化状態（ＳＯＨ）を把握する。
【００４１】
なお、コールコールプロット全体を必ずしも作成する必要はなく、その一部に着目してもよい。例えば、走行時、一定の時間間隔で特定周波数の複素インピーダンスを測定し、当該特定周波数の複素インピーダンスの時間変化に基づいて、ＳＯＣ、ＳＯＨ及び電池温度等の走行時における変化を把握してもよい。または、１日毎、１周ごと、若しくは１年ごとといった時間間隔で特定周波数の複素インピーダンスを測定し、当該特定周波数の複素インピーダンスの時間変化に基づいて、ＳＯＨ等の変化を把握してもよい。
【００４２】
第１実施形態の電池監視装置５０は、以下の効果を有する。
【００４３】
電流モジュレーション回路５６は、監視対象とする電池セル４２を電源として、正弦波信号（所定の交流信号）を出力させる。このため、正弦波信号を電池セル４２に入力するための外部電源が必要なくなり、部品点数削減、小型化、低コスト化を実現することが可能となる。
【００４４】
ところで、車載の蓄電池には、一般的に保護素子やフィルタ回路などの周辺回路が接続されており、蓄電池に交流信号を入力しても、当該周辺回路に電流の一部が漏れてしまう。例えば、第１実施形態においても、電池セル４２には、ＲＣフィルタ５５ａやツェナーダイオード５５ｂが接続されており、電池セル４２に交流信号を入力しても、電流の一部がそれらの回路に漏れる。このため、電池セル４２に交流信号を入力し、その応答信号に基づいて複素インピーダンスを算出する場合、漏れ電流の影響により応答信号に誤差が生じ、複素インピーダンスの検出精度が低下するという問題があった。
【００４５】
しかしながら、上記第１実施形態の電池監視装置５０では、電池セル４２を電源として、正弦波信号を出力させるため、電流モジュレーション回路５６と電池セル４２とで閉回路を実現できる。よって、電池セル４２からの電流の漏れをなくすことができ、応答信号の誤差を抑制することができる。
【００４６】
抵抗５６ｂに実際に流れる信号と、電池セル４２から出力させるべき正弦波信号との間に誤差が生じる場合がある。この場合、応答信号の誤差要因となる。そこで、フィードバック回路５６ｄを備えて、半導体スイッチ素子５６ａに対して指示を行う際、フィードバック信号（検出信号）と指示信号との比較に基づいてフィードバックを行うこととした。これにより、指示した正弦波信号を電池セル４２から安定して、正確に出力させることができる。
【００４７】
また、指示信号により、電流モジュレーション回路５６に対して正弦波信号の波形を指示する場合、指示信号をデジタル信号からアナログ信号に変換する。この変換する際に、誤差が生じる。入出力部５２と電流モジュレーション回路５６との間に、フィルタ回路等を設けることにより、指示信号の波形を滑らかにして、この誤差を抑制することができるが、フィルタ回路を設けることは大型化やコスト増につながる。
【００４８】
また、車載の電池セル４２は、一般的に大容量であるため、複素インピーダンスを算出する場合、測定周波数の測定範囲は広くなる傾向にある。したがって、その分フィルタ回路も大型化する可能性がある。そこで、上記フィードバックを行うこととし、信号変換時における指示信号の波形の誤差を抑制した。これにより、入出力部５２と電流モジュレーション回路５６との間において、フィルタ回路を省略することができる。
【００４９】
電流モジュレーション回路５６は、抵抗５６ｂに流れる信号を検出し、検出信号をフィードバック信号として、入出力部５２を介して、マイコン部５３に出力するように構成されている。そして、マイコン部５３は、フィードバック信号を電流信号として利用して、複素インピーダンスを算出する。これにより、抵抗５６ｂに実際に流れる信号と、出力させるべき正弦波信号（マイコン部５３により指示された信号）との間に誤差（位相ずれなど）が生じた場合であっても、フィードバック信号、つまり、抵抗５６ｂに実際に流れる信号を利用するため、複素インピーダンスの算出精度を向上させることができる。
【００５０】
また、上記のようにフィードバック信号により補正するため、入出力部５２と電流モジュレーション回路５６との間において、フィルタ回路を省略することができ、電池監視装置５０を小型化することができる。
【００５１】
応答信号入力端子５８は、電池セル４２の端子において、接続可能な部分のうち、電極に最も近い部分に接続されている。これにより、電池セル４２の端子が有するインピーダンス成分の影響を抑制して、複素インピーダンスの算出精度をより向上させることができる。より詳しく説明すると、図４に示すように、電池セル４２の端子４２ａは、インピーダンス成分を有する。このため、応答信号入力端子５８を接続する場合、図４（ａ）よりも図４（ｂ）に示すように、電極により近い部分に接続することが望ましい。これにより、複素インピーダンスの算出精度をより向上させることができる。なお、図４（ｂ）に示すように、応答信号入力端子５８の接続箇所は、電流モジュレーション回路５６の接続箇所よりも電極に近いことが望ましい。
【００５２】
（第２実施形態）
次に、第２実施形態の電池監視装置５０について説明する。第２実施形態の電池監視装置５０は、いわゆる２位相ロックイン検出を実施する。以下、詳しく説明する。なお、以下では、各実施形態で互いに同一又は均等である部分には同一符号を付しており、同一符号の部分についてはその説明を援用する。
【００５３】
図５に示すように、電池監視装置５０のＡＳＩＣ部５０ａには、電池セル４２の端子間における直流電圧を測定する差動アンプ１５１が設けられている。差動アンプ１５１は、直流電圧入力端子５７に接続されており、直流電圧を測定し、出力するように構成されている。
【００５４】
また、電池監視装置５０のＡＳＩＣ部５０ａには、正弦波信号の出力時における電池セル４２の電圧変動を、応答信号入力端子５８を介して入力する増幅器としてのプリアンプ１５２が設けられている。プリアンプ１５２は、応答信号入力端子５８を介して入力した電圧変動を増幅し、応答信号として出力する。すなわち、応答信号の振幅は、電池セル４２の電圧に比較して微弱な信号であることから、応答信号の検出精度を向上させるため、プリアンプ１５２が設けられている。なお、第２実施形態では、プリアンプ１５２は、１段であったが、多段にしてもよい。
【００５５】
また、図５に示すように、電池セル４２の正極端子と正極側の応答信号入力端子５８（プリアンプ１５２の正極側端子側）との間には、直流成分をカットするためのコンデンサＣ１が設けられている。これにより、電池セル４２の電圧変動のうち、直流成分（内部複素インピーダンス情報に関係ない部分）を除くことができ、応答信号の検出精度を向上させることができる。
【００５６】
また、ＡＳＩＣ部５０ａには、差動アンプ１５１から出力される直流電圧と、プリアンプ１５２から出力される応答信号とを切り替える信号切替部１５３が設けられている。信号切替部１５３には、ＡＤ変換器１５４が接続されており、切り替えられた信号（アナログ信号）が、デジタル信号に変換されて出力されるように構成されている。
【００５７】
ＡＤ変換器１５４は、第２実施形態における演算部としてのシグナルプロセッシング部１５５に接続されており、直流電圧を入力するように構成されている。また、ＡＤ変換器１５４は、第１乗算器１５６及び第２乗算器１５７に接続されており、応答信号をそれぞれ入力するように構成されている。
【００５８】
第１乗算器１５６には、後述する発振回路１５８が接続されており、第１の参照信号が入力されるようになっている。第１乗算器１５６は、第１の参照信号と、応答信号を乗算して、応答信号の実部に比例した値を算出し、ローパスフィルタ１５９を介して、応答信号の実部に比例した値をシグナルプロセッシング部１５５に出力するようになっている。なお、図５では、応答信号の実部をＲｅ｜Ｖｒ｜と示す。
【００５９】
第２乗算器１５７には、位相シフト回路１６０を介して、発振回路１５８に接続されており、第２の参照信号が入力される。第２の参照信号は、第１の参照信号の位相を９０度（π／２）進ませた信号である。位相シフト回路１６０は、発振回路１５８から入力した正弦波信号（第１の参照信号）の位相を進ませ、第２の参照信号として出力する。
【００６０】
第２乗算器１５７は、第２の参照信号と、応答信号を乗算して、応答信号の虚部に比例した値を算出し、ローパスフィルタ１６１を介して、応答信号の虚部に比例した値をシグナルプロセッシング部１５５に出力するようになっている。なお、図５では、応答信号の虚部をＩｍ｜Ｖｒ｜と示す。
【００６１】
発振回路１５８は、設定された正弦波信号を出力する回路であり、波形指示部として機能する。発振回路１５８は、前述したように、第１乗算器１５６及び位相シフト回路１６０に対して、正弦波信号を第１の参照信号として出力する。また、発振回路１５８は、ＤＡ変換器１６２を介して、指示信号出力端子５９ａに接続されており、正弦波信号を指示信号として出力する。
【００６２】
フィードバック信号入力端子５９ｂは、ＡＤ変換器１６３を介して、シグナルプロセッシング部１５５に接続されている。シグナルプロセッシング部１５５は、ＡＤ変換器１６３を介して、フィードバック信号入力端子５９ｂからフィードバック信号（検出信号）を入力する。
【００６３】
シグナルプロセッシング部１５５は、応答信号の実部に比例した値及び応答信号の虚部に比例した値を入力し、それらの値に基づいて、複素インピーダンスの実部及び虚部を算出する。その際、シグナルプロセッシング部１５５は、入力したフィードバック信号を用いて、実際に流れる信号の振幅と、参照信号との位相ずれを加味して、複素インピーダンスの実部及び虚部を算出（補正）する。
【００６４】
また、シグナルプロセッシング部１５５は、複素インピーダンスの絶対値と位相を算出する。詳しく説明すると、２位相ロックイン検出により、応答信号の実部と虚部がわかるため、応答信号の位相をθｖとすると、複素平面の極座標表示では|Ｖｒ｜ｅ^ｊθｖのように示すことができる。同様に、電流は、｜Ｉ｜ｅ^ｊθｉに示すように表すことができる。これから複素インピーダンスの極座標表示を｜Ｚ｜ｅ^ｊθｚとすると、Ｖ＝ＺＩから数式（１）のように表すことができる。また、「ｊ」は、ｊ＾２＝−１を満たす虚数単位である。
【００６５】
【数１】
2020180949.tif 000003
よって、複素インピーダンスの絶対値は｜Ｚ｜＝｜Ｖｒ｜／｜Ｉ｜、位相はθｖ−θｉから求めることができる。そして、シグナルプロセッシング部１５５は、通信部５４を介して、ＥＣＵ６０に算出結果を出力する。なお、図５では、複素インピーダンスの絶対値を｜Ｚ｜と示し、その位相をａｒｇ（Ｚ）と示す。
【００６６】
次に、第２実施形態における複素インピーダンス算出処理について図６に基づいて説明する。複素インピーダンス算出処理は、電池監視装置５０により所定周期ごとに実行される。
【００６７】
複素インピーダンス算出処理において、発振回路１５８は、最初に複素インピーダンスの測定周波数を設定する（ステップＳ２０１）。測定周波数は、予め決められた測定範囲内の周波数の中から設定される。第２実施形態において、測定周波数は、例えば、シグナルプロセッシング部１５５により決定される。
【００６８】
次に、信号切替部１５３は、プリアンプ１５２からの応答信号が出力されるように切替を行う（ステップＳ２０２）。切り替えの指示は、例えば、シグナルプロセッシング部１５５により行われる。
【００６９】
次に発振回路１５８は、測定周波数に基づいて、正弦波信号（所定の交流信号）の周波数を決定し、ＤＡ変換器１６２を介して、指示信号出力端子５９ａから電流モジュレーション回路５６に対して、当該正弦波信号の出力を指示する指示信号を出力する（ステップＳ２０３）。なお、指示信号の出力指示は、例えば、シグナルプロセッシング部１５５により行われる。ＤＡ変換器１６２によりアナログ信号に変換される際、電池セル４２の電圧を考慮して、適切なオフセット値（直流バイアス）が設定されて、変換される。オフセット値（直流バイアス）の設定は、例えば、シグナルプロセッシング部１５５により行われる。オフセット値（直流バイアス）の設定は、電池セル４２の直流電圧に基づき、行われることが望ましい。なお、電池セル４２の直流電圧は、差動アンプ１５１により測定すればよい。
【００７０】
電流モジュレーション回路５６は、指示信号に基づいて、電池セル４２を電源として正弦波信号を出力させる（ステップＳ２０４）。これにより、電池セル４２から正弦波信号が出力される。
【００７１】
電池セル４２から正弦波信号を出力させると、電池セル４２の端子間に電池セル４２の内部複素インピーダンス情報を反映した電圧変動が生じる。プリアンプ１５２は、応答信号入力端子５８を介して、その電圧変動を入力し、応答信号として出力する（ステップＳ２０５）。
【００７２】
なお、応答信号入力端子５８に入力される際、電圧変動の直流成分はコンデンサＣ１によりカットされ、電圧変動の特徴部分だけ取り出される。また、プリアンプ１５２は、直流成分がカットされた微弱な電圧変動を増幅させて、応答信号として出力する。その際、ＡＤ変換器１５４は、信号切替部１５３を介して入力された応答信号を、デジタル信号に変換し、出力する。コンデンサＣ１によりカットされる直流成分の大きさは、電池セル４２の直流電圧に基づき、調整されることが望ましい。同様に、電圧変動をどれだけ増幅させるかは、電池セル４２の直流電圧に基づき、調整されることが望ましい。
【００７３】
第１乗算器１５６は、発振回路１５８から入力した正弦波信号を第１の参照信号とし、ＡＤ変換器１５４から入力した応答信号を乗算して、応答信号の実部に比例した値を算出する（ステップＳ２０６）。同様に、第２乗算器１５７は、位相シフト回路１６０から入力した第２の参照信号と、応答信号を乗算して、応答信号の虚部に比例した値を算出する。
【００７４】
これらの値は、ローパスフィルタ１５９及びローパスフィルタ１６１を介して、シグナルプロセッシング部１５５に入力される。なお、ローパスフィルタ１５９及びローパスフィルタ１６１を通過する際、直流成分（ＤＣ成分）以外の信号は減衰し、除去される。
【００７５】
シグナルプロセッシング部１５５は、フィードバック信号入力端子５９ｂからフィードバック信号（検出信号）を入力する（ステップＳ２０７）。フィードバック信号は、シグナルプロセッシング部１５５に入力される際、ＡＤ変換器１６３により、デジタル信号に変換される。
【００７６】
シグナルプロセッシング部１５５は、フィードバック信号、及びローパスフィルタ１５９，１６１から入力された信号（実部及び虚部の比例値）に基づいて、複素インピーダンスの実部、虚部、絶対値、及び位相のうちすべて若しくはいずれかを算出する（ステップＳ２０８）。フィードバック信号は、実際に電池セル４２から流れる電流（つまり、フィードバック信号）と参照信号に比例する値との振幅又は位相のずれを補正するために利用される。
【００７７】
その後、シグナルプロセッシング部１５５は、通信部５４を介して、算出結果をＥＣＵ６０に出力する（ステップＳ２０９）。そして、算出処理を終了する。
【００７８】
この算出処理は、測定範囲内の複数の周波数についての複素インピーダンスが算出されるまで繰り返し実行される。ＥＣＵ６０は、算出結果に基づいて、複素インピーダンス平面プロット（コールコールプロット）を作成し、電極及び電解質などの特性を把握する。例えば、蓄電状態（ＳＯＣ）や劣化状態（ＳＯＨ）を把握する。
【００７９】
なお、コールコールプロット全体を必ずしも作成する必要はなく、その一部に着目してもよい。例えば、走行時、一定の時間間隔で特定周波数の複素インピーダンスを測定し、当該特定周波数の複素インピーダンスの時間変化に基づいて、ＳＯＣ、ＳＯＨ及び電池温度等の走行時における変化を把握してもよい。または、１日毎、１周ごと、若しくは１年ごとといった時間間隔で特定周波数の複素インピーダンスを測定し、当該特定周波数の複素インピーダンスの時間変化に基づいて、ＳＯＨ等の変化を把握してもよい。
【００８０】
第２実施形態の電池監視装置５０では、以下の効果を有する。
【００８１】
シグナルプロセッシング部１５５は、応答信号入力端子５８から入力した応答信号と第１の参照信号とを掛け合わせた値に基づいて、応答信号の実部に比例した値を算出する。また、シグナルプロセッシング部１５５は、正弦波信号の位相をシフトさせた信号を第２の参照信号とし、応答信号と第２の参照信号とを掛け合わせた値に基づいて、応答信号の虚部に比例した値を算出する。そして、これらの値に基づいて、複素インピーダンスを算出する。このように、いわゆるロックイン検出を行うことにより、応答信号から、発振回路１５８が指示する正弦波信号の周波数と同一の周波成分のみを抽出することができる。このため、ホワイトノイズやピンクノイズに強くなり、高精度に複素インピーダンスを算出することができる。特に車両に採用する場合、ノイズが多くなるため、好適に複素インピーダンスを算出することができる。また、ノイズに強くなるため、電池セル４２から出力させる電流（正弦波信号）を小さくすることが可能となる。このため、消費電力や電池セル４２や半導体スイッチ素子５６ａの温度上昇を抑制することができる。
【００８２】
また、シグナルプロセッシング部１５５は、電流モジュレーション回路５６により電池セル４２から実際に流れる電流を検出したフィードバック信号（検出信号）を入力し、参照信号に比例する値との振幅及び位相のずれを補正している。これにより、複素インピーダンスの算出精度を向上させることができる。
【００８３】
また、振幅及び位相のずれを補正しているため、指示信号をアナログ信号に変換する際、誤差が生じても、その誤差をフィードバック信号による補正により抑制することができる。このため、電流モジュレーション回路５６と、ＤＡ変換器１６２との間にフィルタ回路などを設ける必要がなくなり、小型化することができる。
【００８４】
（第３実施形態）
次に、第３実施形態の電池監視装置５０について説明する。第３実施形態の電池監視装置５０は、信号解析において、高速フーリエ変換（ＦＦＴ）を実施する。以下、詳しく説明する。なお、以下では、各実施形態で互いに同一又は均等である部分には同一符号を付しており、同一符号の部分についてはその説明を援用する。
【００８５】
図７に示すように、電池監視装置５０のＡＳＩＣ部５０ａには、高速フーリエ変換を実施する演算部としてのシグナルプロセッシング部２０１を備える。シグナルプロセッシング部２０１は、ＡＤ変換器１５４を介して、電池セル４２の直流電圧の測定値を入力するように構成されている。また、シグナルプロセッシング部２０１は、ＡＤ変換器１５４を介して、応答信号を入力するように構成されている。また、シグナルプロセッシング部２０１は、ＡＤ変換器１６３を介して、フィードバック信号を入力するように構成されている。また、シグナルプロセッシング部２０１は、発振回路１５８に接続されており、正弦波信号の周波数を設定可能に構成されている。
【００８６】
シグナルプロセッシング部２０１は、入力した応答信号（電圧信号）、及びフィードバック信号（電流信号）を高速フーリエ変換によりそれぞれ変換するように構成されている。そして、シグナルプロセッシング部２０１は、変換後の値に基づいて、複素インピーダンスの実部、虚部、絶対値、位相を算出する。そして、シグナルプロセッシング部２０１は、通信部５４を介して、ＥＣＵ６０に算出結果を出力する。
【００８７】
次に、第３実施形態における複素インピーダンス算出処理について図８に基づいて説明する。複素インピーダンス算出処理は、電池監視装置５０により所定周期ごとに実行される。第３実施形態の複素インピーダンス算出処理において、ステップＳ３０１〜ステップＳ３０５は、第２実施形態の複素インピーダンス算出処理におけるステップＳ２０１〜ステップＳ２０５と同様である。なお、測定周波数の設定、切り替えの指示、指示信号の出力指示、オフセット値の設定等は、例えば、シグナルプロセッシング部２０１により行われる。
【００８８】
シグナルプロセッシング部２０１は、入力したＡＤ変換器１５４から入力した応答信号に対して、高速フーリエ変換を実施する（ステップＳ３０６）。これにより、測定周波数に対する応答信号の振幅情報を得ることができる。
【００８９】
また、シグナルプロセッシング部２０１は、フィードバック信号入力端子５９ｂからフィードバック信号を入力する（ステップＳ３０７）。フィードバック信号は、シグナルプロセッシング部１５５に入力される際、ＡＤ変換器１６３により、デジタル信号に変換される。
【００９０】
シグナルプロセッシング部２０１は、フィードバック信号に対して、高速フーリエ変換を実施する（ステップＳ３０８）。これにより、測定周波数に対するフィードバック信号の振幅情報を得ることができる。
【００９１】
シグナルプロセッシング部２０１は、ステップＳ３０６で取得した測定周波数に対する応答信号の振幅情報と、ステップＳ３０８で取得した測定周波数に対するフィードバック信号の振幅情報とに基づいて、複素インピーダンスの実部、虚部、絶対値、及び位相のうちすべて若しくはいずれかを算出する（ステップＳ３０９）。その後、シグナルプロセッシング部２０１は、通信部５４を介して、算出結果をＥＣＵ６０に出力する（ステップＳ３１０）。そして、算出処理を終了する。
【００９２】
この算出処理は、測定範囲内の複数の周波数についての複素インピーダンスが算出されるまで繰り返し実行される。ＥＣＵ６０は、算出結果に基づいて、複素インピーダンス平面プロット（コールコールプロット）を作成し、電極及び電解質などの特性を把握する。例えば、蓄電状態（ＳＯＣ）や劣化状態（ＳＯＨ）を把握する。
【００９３】
なお、コールコールプロット全体を必ずしも作成する必要はなく、その一部に着目してもよい。例えば、走行時、一定の時間間隔で特定周波数の複素インピーダンスを測定し、当該特定周波数の複素インピーダンスの時間変化に基づいて、ＳＯＣ、ＳＯＨ及び電池温度等の走行時における変化を把握してもよい。または、１日毎、１周ごと、若しくは１年ごとといった時間間隔で特定周波数の複素インピーダンスを測定し、当該特定周波数の複素インピーダンスの時間変化に基づいて、ＳＯＨ等の変化を把握してもよい。
【００９４】
第３実施形態の電池監視装置５０では、以下の効果を有する。
【００９５】
応答信号及びフィードバック信号をそれぞれフーリエ変換して、測定周波数の振幅情報及び位相情報を得るとともに、測定周波数の高調波の振幅情報及び位相情報を得る。測定周波数とその高調波についてそれぞれ電圧と電流の振幅及び始動の情報を得ることができるため、複数の周波数に対する複素インピーダンスを一度に算出することが可能となる。
【００９６】
また、シグナルプロセッシング部２０１は、電流モジュレーション回路５６により電池セル４２から実際に流れる電流を検出したフィードバック信号（検出信号）を入力し、当該信号をフーリエ変換している。このため、振幅及び位相のずれを補正することができ、複素インピーダンスの算出精度を向上させることができる。
【００９７】
（他の実施形態）
・上記実施形態では、電池セル４２毎に電池監視装置５０を設けたが、複数の電池セル４２ごと（例えば、電池モジュール４１ごと、組電池４０ごと）に、電池監視装置５０を設けてもよい。その際、電池監視装置５０の機能の一部を共通化してもよい。
【００９８】
例えば、図９に示すように、安定化電源供給部３０１、通信部５４及びマイコン部５３を共通化してもよい。この場合、負電極の電位が電池セル４２ごとに異なる場合がある。このため、各電池セル４２の情報を伝達する際に利用される各電気信号の基準電位が異なる場合がある。そこで、基準電位の差を考慮してマイコン部５３へ各電気信号を入力する機能を設けて、演算する必要がある。異なる基準電位間の信号伝達手段としては、コンデンサやトランス、電波、光を用いる方法がある。
【００９９】
また、例えば、図１０に示すように、安定化電源供給部３０１、通信部５４、差動アンプ１５１、プリアンプ１５２、信号切替部１５３、ＡＤ変換器１５４，１６３、シグナルプロセッシング部１５５、第１乗算器１５６、第２乗算器１５７、ローパスフィルタ１５９，１６１、発振回路１５８、位相シフト回路１６０、ＤＡ変換器１６２、フィードバック回路５６ｄ、電流検出アンプ５６ｃを共通化してもよい。
【０１００】
この場合、直流電圧、応答信号、指示信号などの各種信号をマルチプレクサ３０２〜３０４のような多重化装置により、信号の切替を可能に構成すればよい。
【０１０１】
同様に、例えば、図１１に示すように、安定化電源供給部３０１、通信部５４、差動アンプ１５１、プリアンプ１５２、信号切替部１５３、ＡＤ変換器１５４，１６３、シグナルプロセッシング部２０１、発振回路１５８、ＤＡ変換器１６２、フィードバック回路５６ｄ、電流検出アンプ５６ｃを共通化してもよい。
【０１０２】
この場合、直流電圧、応答信号、指示信号等の各種信号をマルチプレクサ３０２〜３０４のような多重化装置により、信号の切替を可能に構成すればよい。
【０１０３】
また、複数の電池セル４２を直列に接続した高電位側と低電位側をそれぞれ電源の正極、負極として用いる部分と、個々の電池セル４２の両極をそれぞれ電源の正極、負極として用いる部分とで分け、いずれか一方のみを共通化してもよい。例えば、図１２に示すように、通信部５４、ＡＤ変換器１５４，１６３、シグナルプロセッシング部１５５、２０１、発振回路１５８、位相シフト回路１６０、ＤＡ変換器１６２を共通化してもよい。なお、図１２では、第１乗算器１５６、第２乗算器１５７、ローパスフィルタ１５９，１６１の図示を省略しているが、ロックイン検出を行うシグナルプロセッシング部１５５を採用する場合、それらも共通化することとなる。
【０１０４】
なお、共通化した部分には、第１電源４０１から電力が供給され、第１電源４０１には、複数の電池セル４２から電力供給される。一方、共通化していない部分には、第２電源４０２から電力が供給され、第２電源４０２には、各電池セル４２から電力供給される。ちなみに、第１電源４０１の出力電圧と、第２電源４０２の出力電圧は異なる。
【０１０５】
この場合、直流電圧、応答信号、指示信号等の各種信号をマルチプレクサ３０２〜３０４のような多重化装置により、信号の切替を可能に構成すればよい。
【０１０６】
なお、図９〜図１１の電池監視装置５０においても図１２の電池監視装置５０と同様に、複数の電源を設けてもよい。
【０１０７】
・上記実施形態において、各電池セル４２の蓄電状態や電圧を均等化する均等化処理を電池監視装置５０に実施させてもよい。均等化処理とは、各電池セル４２の蓄電状態を揃えるように、他の電池セル４２に比較して蓄電状態が高い一部の電池セル４２を放電させる処理である。これにより、各電池セル４２の蓄電状態を揃え、電池セル４２のうち一部が過充電となることを抑制することができる。そして、電池監視装置５０が、均等化処理を実施する場合、電流モジュレーション回路５６を利用して、電池セル４２を放電させてもよい。この場合、電池監視装置５０が放電制御部として機能する。
【０１０８】
具体的に説明すると、第１実施形態において、マイコン部５３は、各電池セル４２の蓄電状態に基づいてＥＣＵ６０等から放電指示を受けた場合、若しくは、電池セル４２の蓄電状態又は電圧が所定値以上となった場合、電流モジュレーション回路５６に指示信号を出力し、電池セル４２から正弦波信号や矩形波といった周期関数若しくは直流信号を出力させる。そして、マイコン部５３は、放電指示が終了するまで、若しくは電池セル４２の蓄電状態又は電圧が所定値よりも小さくなるまで、信号の出力を継続させる。これにより、均等化処理を実施する。第２実施形態又は第３実施形態でも同様に、シグナルプロセッシング部１５５，２０１が、均等化処理を実施してもよい。また、図９〜図１２に示す電池監視装置５０においても、同様に、均等化処理を実施してもよい。
【０１０９】
そして、均等化処理のために、電池セル４２から放電させる際、正弦波信号を出力させて、複素インピーダンスを算出してもよい。これにより、消費電力を抑制することができる。なお、均等化処理のために出力させる電流は、電力消費を抑制するため、及び装置の小型化のため、一般的には微弱な電流とされている。このため、第２実施形態のように微弱な電流でもロックイン検出により、複素インピーダンスを精度よく算出することができる電池監視装置５０において均等化処理を実施させることが好ましい。
【０１１０】
・上記実施形態において、フィルタ部５５は、素子のみにより構成されていなくてもよい。例えば、配線、コネクタ接触部、プリント基板のパターン配線やベタパターン間により、又はこれらの構成と素子とが混在する構成であってもよい。
【０１１１】
・上記実施形態において、電流モジュレーション回路５６と、入出力部５２（又はＤＡ変換器１６２）との間に、フィルタ回路を設けてもよい。これにより、指示信号をアナログ信号に変換する際の誤差を抑制することができる。
【０１１２】
・上記実施形態において、差動アンプ１５１、プリアンプ１５２、信号切替部１５３、ＡＤ変換器１５４，１６３、シグナルプロセッシング部１５５、第１乗算器１５６、第２乗算器１５７、ローパスフィルタ１５９，１６１、発振回路１５８、位相シフト回路１６０、ＤＡ変換器１６２、フィードバック回路５６ｄ、及び電流検出アンプ５６ｃの一部又は全部は、ソフトウェアにより実現してもよい。
【０１１３】
・上記第２実施形態及び第３実施形態において、コンデンサＣ１がなくてもよい。
【０１１４】
・上記実施形態において、フィードバック回路５６ｄがなくてもよい。また、電流検出アンプ５６ｃにより抵抗５６ｂに流れる電流を検出しなくてもよい。また、マイコン部５３、シグナルプロセッシング部１５５，２０１は、フィードバック信号を入力しなくてもよい。
【０１１５】
・上記実施形態において、直流電圧を検出したが、検出しなくてもよい。
【０１１６】
・上記第２実施形態又は第３実施形態において、信号切替部１５３を設けなくてもよい。
【０１１７】
・上記第２実施形態又は第３実施形態において、フィードバック信号も信号切替部１５３により切り替えの対象としてもよい。これにより、ＡＤ変換器１５４，１６３を共通化することができる。
【０１１８】
・上記実施形態の電池監視装置５０を、車両として、ＨＥＶ，ＥＶ，ＰＨＶ，補機電池、電動飛行機、電動バイク、電動船舶に採用してもよい。
【０１１９】
・上記実施形態において、電池セル４２は、並列に接続されていてもよい。
【０１２０】
・上記第２実施形態又は第３実施形態において、ＡＤ変換時におけるエイリアシングを防止するため、フィルタ回路をプリアンプ１５２の前後、又はＡＤ変換器１５４の直前に設けてもよい。
【０１２１】
・上記実施形態において、電池モジュール４１単位で、状態を監視してもよい。このとき、電池モジュール４１ごとに通信部５４を設ける場合、各通信部５４からＥＣＵ６０への通信は電位基準の異なる絶縁通信となることがある。例えば、絶縁トランスやコンデンサを用いて絶縁通信を行う場合がある。
【０１２２】
・上記実施形態において、フィードバック信号をロックイン検出してもよい。図１３に基づいて、具体的に説明すると、複素インピーダンス算出処理は、電池監視装置５０により所定周期ごとに実行される。
【０１２３】
複素インピーダンス算出処理において、発振回路１５８は、最初に複素インピーダンスの測定周波数を設定する（ステップＳ４０１）。測定周波数は、予め決められた測定範囲内の周波数の中から設定される。別例において、測定周波数は、例えば、シグナルプロセッシング部１５５により決定される。
【０１２４】
次に発振回路１５８は、測定周波数に基づいて、正弦波信号（所定の交流信号）の周波数を決定し、ＤＡ変換器１６２を介して、指示信号出力端子５９ａから電流モジュレーション回路５６に対して、当該正弦波信号の出力を指示する指示信号を出力する（ステップＳ４０２）。電流モジュレーション回路５６は、指示信号に基づいて、電池セル４２を電源として正弦波信号を出力させる。これにより、電池セル４２から正弦波信号が出力される。
【０１２５】
次に、シグナルプロセッシング部１５５は、フィードバック信号を２位相ロックイン検出により、測定する（ステップＳ４０３）。具体的には、シグナルプロセッシング部１５５は、発振回路１５８が指示した正弦波信号（参照信号）と、入力したフィードバック信号と乗算する。また、発振回路１５８が指示した正弦波信号の位相を９０度ずらした信号と、入力したフィードバック信号と乗算する。シグナルプロセッシング部１５５は、これらの乗算結果から、フィードバック信号の振幅と位相値を算出する。
【０１２６】
シグナルプロセッシング部１５５は、次に、算出した振幅と振幅補正値との差が振幅基準値以内であるか否かを判定する（ステップＳ４０４）。振幅補正値は、出力されることが期待される正弦波信号の振幅を示すものである。
【０１２７】
この判定結果が否定の場合、シグナルプロセッシング部１５５は、ステップＳ４０３による測定回数（フィードバック信号の測定回数）が所定回数以上であるか否かを判定する（ステップＳ４０５）。この判定結果が否定の場合、シグナルプロセッシング部１５５は、測定回数を１加算して、ステップＳ４０３を再実行する。
【０１２８】
一方、ステップＳ４０５の判定結果が肯定の場合、シグナルプロセッシング部１５５は、測定したフィードバック信号の振幅の平均を算出し、平均値を振幅補正値として書き換える（ステップＳ４０６）。また、測定回数をクリアする。
【０１２９】
ステップＳ４０４の判定結果が肯定の場合、又はステップＳ４０６の実行後、シグナルプロセッシング部１５５は、ステップＳ４０３にて算出した位相値と位相補正値との差が位相基準値以内であるか否かを判定する（ステップＳ４０７）。位相補正値は、出力されることが期待される正弦波信号の位相を示すものである。
【０１３０】
この判定結果が肯定の場合、シグナルプロセッシング部１５５は、ステップＳ４０３による測定回数（フィードバック信号の測定回数）が所定回数以上であるか否かを判定する（ステップＳ４０８）。この判定結果が否定の場合、シグナルプロセッシング部１５５は、測定回数を１加算して、ステップＳ４０３を再実行する。
【０１３１】
一方、ステップＳ４０８の判定結果が肯定の場合、シグナルプロセッシング部１５５は、測定したフィードバック信号の位相の平均を算出し、平均値を位相補正値として書き換える（ステップＳ４０９）。また、測定回数をクリアする。
【０１３２】
次に、シグナルプロセッシング部１５５は、応答信号を２位相ロックイン検出により測定する（ステップＳ４１０）。この処理は、第２実施形態のステップＳ２０２，Ｓ２０５，Ｓ２０６等と同様であるので説明を省略する。
【０１３３】
シグナルプロセッシング部１５５は、フィードバック信号及びローパスフィルタ１５９，１６１から入力された信号（実部及び虚部の比例値）に基づいて、複素インピーダンスの実部、虚部、絶対値、及び位相のうちすべて若しくはいずれかを算出する（ステップＳ４１１）。フィードバック信号は、振幅補正値及び位相補正値により定められ、実際に電池セル４２から流れる電流（つまり、フィードバック信号）と参照信号に比例する値との振幅又は位相のずれを補正するために利用される。
【０１３４】
その後、シグナルプロセッシング部１５５は、通信部５４を介して、算出結果をＥＣＵ６０に出力する（ステップＳ４１２）。そして、算出処理を終了する。
【０１３５】
以上のより、フィードバック信号を２位相ロックイン検出により測定するため、ノイズが存在する環境下にあっても、電池セル４２から実際に出力される電流信号を精度よく測定することができる。そして、このフィードバック信号を複素インピーダンス算出時の補正に利用するため、複素インピーダンスの算出精度を向上させることができる。
【０１３６】
・上記実施形態において、電池セル４２から出力させる電流信号は、正弦波信号に限らない。例えば、交流信号であれば、矩形波や三角波等の信号であっても構わない。
【０１３７】
・上記実施形態において、ＥＣＵ６０は、複数のＥＣＵにより構成されていてもよい。例えば、機能ごとに複数のＥＣＵを設けてもよく、また、制御対象ごとに複数のＥＣＵを設けてもよい。例えば、電池用ＥＣＵと、インバータ制御用ＥＣＵとに分けてもよい。
【０１３８】
・上記実施形態において、ロックイン検出を行う場合、発振回路１５８が指示する正弦波信号を参照信号（第１の参照信号）としたが、検出信号（フィードバック信号）を参照信号としてもよい。また、２位相ロックイン検出を行う場合、検出信号（フィードバック信号）の位相をずらして第２の参照信号とすればよい。
【０１３９】
・上記実施形態において、電池セル４２（電池モジュール４１、組電池４０）は、指示に基づいて正弦波信号を出力している際に（応答信号の出力時）、周辺回路の電源として用いられてもよい。逆に、電池セル４２（電池モジュール４１、組電池４０）は、指示に基づいて正弦波信号を出力している際に（応答信号の出力時）、周辺回路の電源として用いられないように構成してもよい。
【符号の説明】
【０１４０】
４２…電池セル、５０…電池監視装置、５２…入出力部、５３…マイコン部、５６…電流モジュレーション回路。
【図１】
2020180949.tif 000004
【図２】
2020180949.tif 000005
【図３】
2020180949.tif 000006
【図４】
2020180949.tif 000007
【図５】
2020180949.tif 000008
【図６】
2020180949.tif 000009
【図７】
2020180949.tif 000010
【図８】
2020180949.tif 000011
【図９】
2020180949.tif 000012
【図１０】
2020180949.tif 000013
【図１１】
2020180949.tif 000014
【図１２】
2020180949.tif 000015
【図１３】
2020180949.tif 000016